(57)【要約】【課題】  在庫管理が容易で、種々のサイズの注文に対しても早期に対応して出荷することができ、見た目にも美しい日本髪かつらの髱を提供する。【解決手段】  日本髪かつらのかつら枠の外側に髱３を着脱可能に取り付ける。その髱３は、髪部６とその髪部６に対して着脱可能なたぼ金５とにより構成する。髪部６は加工後に柔軟性を有する成形部材であるウレタン樹脂で髪の櫛目まで一体に成形により形成する。それにより、髪部６は型崩れせずに直ぐにたぼ金５に固定して出荷することができるので、髪部６とたぼ金５はそれぞれ単体で在庫管理することができる。したがって、全てのサイズの髪部６とたぼ金５を組み合わせて予め固定した状態で在庫管理する必要がないので、その分だけ在庫管理が容易になる。【選択図】        図５
2006111988.tif 000002
【特許請求の範囲】
【請求項１】
日本髪かつらのかつら枠に対して着脱可能な髱であって、髪部とその髪部に対して着脱可能なたぼ金とからなり、前記髪部は加工後に柔軟性を有する成形部材で髪の櫛目まで一体に成形により形成されていることを特徴とする日本髪かつらの髱。
【請求項２】
前記成形部材はウレタン樹脂であることを特徴とする請求項１記載の日本髪かつらの髱。
【発明の詳細な説明】
【技術分野】
【０００１】
この発明は、結婚式における花嫁などが頭部に着用する日本髪かつらの髱に関する。
【背景技術】
【０００２】
従来、花嫁などが頭部につける日本髪かつらは、例えば特許文献１に記載されているように、頭部に沿う形状に形成した台枠（かつら枠）に、前髪、左右の鬢（びん）、後部上方の髷（まげ）、その下から襟首近くまで垂れ下がる髱（たぼ）等を取り付けることにより構成されている。
このような日本髪かつらは、例えば髱の部分を作るときは、まず布地に人毛あるいは人工毛髪（例えば化繊）を職人の手により髱を形成するのに必要な本数だけ植毛する。また、髱を取り付けるためのたぼ金を金属等で形成し、それを上述した植毛済の布地の髪と反対側の面に接着剤（ボンド等）により貼り付ける。
次に、そのたぼ金と一体になった髱用の毛髪を、かつら枠にたぼ金部分をネジ等により固定して取り付け、その後で髪の部分に油を付け、それを結髪師が日本髪用の所定の髱形状に結いあげる。また、同様にかつら枠にそれぞれ取り付けた毛髪部分も結いあげて、左右の鬢、前髪、髷を形成する。それにより、日本髪かつらが完成する。
【特許文献１】特公平７−９１６８２号公報
【発明の開示】
【発明が解決しようとする課題】
【０００３】
このような従来の日本髪かつらに使用している髱は、例えば髪部とその髪部を固定するたぼ金とによって構成されており、そのたぼ金の部分をかつら枠にあがき動作（回動動作）可能に取り付けている。
このような髱は、注文を受けてからサイズに合わせて髪部とたぼ金とを選択して、それらを接着により一体にしていたのでは納期に非常に日数を要してしまうので（例えば２週間）、通常はそれらを事前に接着により一体化しておき、それを注文に応じて直ぐに出荷できるようにしている。
そのため、長さの異なる種々の髪部と、大きさの異なる種々のたぼ金とを全て組み合わせて多種類の髱を予め用意しておかなければならなかったので、その管理が大変であった。
【０００４】
この発明は、上記の問題点に鑑みてなされたものであり、どのようなサイズの注文に対しても早期に対応して出荷することができ、在庫管理が容易で見た目にも美しい日本髪かつらの髱を提供できるようにすることを目的とする。
【課題を解決するための手段】
【０００５】
この発明は上記の目的を達成するため、日本髪かつらのかつら枠に対して着脱可能な髱であって、髪部とその髪部に対して着脱可能なたぼ金とからなり、上記髪部は加工後に柔軟性を有する成形部材で髪の櫛目まで一体に成形により形成されている日本髪かつらの髱を提供する。
そして、その成形部材は、ウレタン樹脂にするとよい。
【発明の効果】
【０００６】
この発明によれば、かつら枠に対して着脱可能な髱は、髪部とその髪部に対して着脱可能なたぼ金とからなり、その髪部は加工後に柔軟性を有する成形部材で髪の櫛目まで一体に成形により形成されているので、髪部とたぼ金とを組み付けずに単体状態で、各サイズのものをそれぞれ用意しておき、注文があったときに要求に応じた長さの髪部と要求されたサイズのたぼ金を組み付けて髱とし、それを直ぐに出荷することができる。
したがって、長さの異なる種々の髪部とサイズの異なるたぼ金を全て組み合わせて固定した多種類の髱を予め用意しておく必要がないので、その管理が容易である。また、髪部は加工後に柔軟性を有する成形部材で形成されているため、それをたぼ金に固定する際に髪部を型崩れさせてしまう虞もないので、取り扱いが容易である。
【発明を実施するための最良の形態】
【０００７】
以下、この発明を実施するための最良の形態を図面に基づいて説明する。
図１はこの発明による髱を使用した日本髪かつらを女性の頭部に被せた状態を示す側面図、図２は同じくその日本髪かつらの着脱可能な髱の髪部を示す斜視図、図３は同じくその日本髪かつらの着脱可能な髷を示す側面図、図４は同じくその日本髪かつらの髱や髷を取り付けるかつら枠を示す側面図である。
この日本髪かつらは、図４に示すかつら枠１の外側の前方頂部（同図で左方）１ａに図１に示すように前髪２を、左右のもみあげ部１ｂ，１ｂに各鬢（びん）７を、後方頂部１ｃに髷（まげ）４を、後部に髱（たぼ）３をそれぞれ取り付けることにより形成している。
【０００８】
そして、髱３は、髪部６とその髪部６に対して着脱可能なたぼ金５とによって構成されており、その髪部６は加工後に柔軟性を有する成形部材であるウレタン樹脂で、図２に示すように表面が髪の櫛目まで一体に成形により形成されている。
このように、この日本髪かつらは、髱３と髷４がかつら枠１にそれぞれ着脱可能に取り付けられるようになっているが、その髱３と髷４の一方だけをかつら枠１に対して着脱可能にしてもよい。
髪部６を形成しているウレタン樹脂は、その厚さを例えば３〜８ｍｍ程度にして図２に示したような、あたかも熟練した結髪師が結いあげたような美しい髱形状に成形している。したがって、内側は空洞状態であるため非常に軽い。
【０００９】
また、そのウレタン樹脂は、適度な弾性を有する部材であるため、髪部６の一部に手などによって外力が加えられることにより一部が凹状に変形して窪んだとしても、その外力が加えられなくなれば、材料自身の持つ復元力（弾性力）により、すぐに元の状態に戻る。
また、このウレタン樹脂は、その表面の着色も容易であるため、髪部６の表面の櫛目部分を、人毛と見分けがつかない程度にまで着色することができる。
【００１０】
髷４は、図３に示すような根４ａを含む状態でかつら枠１（図４）から取外しが可能であり、髪の毛の部分は、この実施例では例えば化繊である人工毛髪を使用して、それを図示のような形に結いあげている。そして、この髷４は、図４に示したようにかつら枠１の後方頂部１ｃに取付プレート２２を介して一体に固定しているＵ字状金具８の部分に根４ａの部分が嵌め込まれてねじ止め固定されるが、その固定方法についての詳しい説明は後述する。
なお、この髷４は、髱３と同様にウレタン樹脂で形成し、それを図３に示した形状に髪の櫛目まで一体に成形により形成するようにしてもよい。そうすれば、人工毛髪を結いあげる手間が省けるので、かつら全体をより安価に製造することができる。
その場合、材料として使用する成形部材は、加工後に柔軟性を有する成形部材としてウレタン樹脂の他に、ポリエステル等も使用することができる。
【００１１】
図１に示した前髪２は、かつら枠１（図４）に接着により固定する。したがって、前髪２は、かつら枠１から取り外すことができないようになっている。また、左右の各鬢７，７も、その前方部分（図１で左方側）をかつら枠１に接着により固定しているので、それらをかつら枠１から完全には（全体は）取り外すことができないようになっている。但し、各鬢７，７のそれぞれ後方部分は、かつら枠１に図示を省略しているマジックテープ（登録商標）により着脱可能にしているので、髱３を取り外す際には鬢７の後方部分をかつら枠１から部分的に取り外すことにより、髱３の取り外しを容易に行うことができる。
【００１２】
髱３は、図５に示すように髪部６にたぼ金５の両端部を小ネジ９により固定している。そして、その状態で、たぼ金５の両端部を図４に示したかつら枠１の固定ネジ１３がある位置となる支点部に取り付けることにより、かつら枠１に装着するようになっている。
そのたぼ金５は、薄板状の弾性を有する金属板からなり、図５に示したように両端部にはそれぞれＬ字部５ａと、長孔５ｂと、固定用孔５ｃがそれぞれ形成されている。また、髱３のあがき（回動）動作を可能にするためのネジリコイルバネ１２を、それぞれ両端部に取り付けている。
さらに、このたぼ金５は、その中央側の頭部に接する部分に、布１０を接着により一様に貼付し、それによりかつらをかぶった際の装着感を高めるようにしている。
【００１３】
このたぼ金５の両端部の髪部６への固定は、左右の各固定用孔５ｃ，５ｃを、それに対応させて髪部６の内面側に形成している固定用穴部６ｃ，６ｃ（図２参照）にそれぞれ一致させ、そこに小ネジ９をそれぞれ挿入することにより行う。その各固定用穴部６ｃの奥には、髪部６の表面に突出しない深さの位置に固定用ナット板がそれぞれインサートモールドにより予め埋め込まれている。したがって、各固定用孔５ｃに挿入した各小ネジ９を固定ナット板の各雌ネジ孔に螺着すれば、たぼ金５の両端部を髪部６にしっかりと固定することができる。
【００１４】
そして、このたぼ金５と髪部６とを一体に固定した髱３をかつら枠１に取り付けるには、図４に示したようにたぼ金５の両端部の長孔５ｂ，５ｂに固定ネジ１３，１３を挿入して、それをかつら枠１に形成しているネジ孔に螺着する。また、両側のネジリコイルバネ１２の一端を、それぞれかつら枠１に取り付ける。それにより、髱３（図４には図示されていないので図１及び図５を参照）が矢示Ａ方向にあがき（回動）可能になる。
次に、図６に示すように髱３の髪部６の上部に形成している髱Ｕ字部６ａ（図２も参照）の内面を、かつら枠１の上部に固定しているＵ字状金具８のＵ字部外面に沿わせ、その状態で２箇所の溝６ｂ（図２に明示）に固定用ゴム輪１１を嵌め込んで、その固定用ゴム輪１１をかつら枠１の取付プレート２２に固定されてＵ字状金具８から間隔を置いた前方に略垂直に設けられているネジ１５に引っ掛ける。そうすることで、髱３の上部がかつら枠１に固定される。
【００１５】
また、図３に示した髷４のかつら枠１への取り付けは、その髷４の根４ａの内部には図７に示すように空洞部１６が形成されているので、その空洞部１６に図４に示したかつら枠１のＵ字状金具８が入り込むようにする。そして、その際に図７に示すように根４ａと一体の固定板２１に形成されている長孔２１ａ内に図４に示したネジ１５が入り込むようにする。
そして、その状態で、かつら枠１の内側から図６に示したようにネジ１７をかつら枠１に形成している孔に差し込んで、そのネジ１７を図７に示したように根４ａの内部に形成しているネジ固定用のナット孔４ｂに螺着する。それにより、髷４の根４ａの部分がかつら枠１にしっかりと固定される。
【００１６】
さらに、髷４の前部のぐらつきを防止するため、固定板２１の長孔２１ａに挿入した状態にあって、図１に示したように髷４の下部４ｃに挿入された状態にあるネジ１５に蝶ネジ１４を螺着し、髷４の前部側も固定する。そして、その蝶ネジ１４を覆うように、その上に黒色の和紙２０をボンドにより貼り付けて蝶ネジ１４が外部から見えないようにする。
最後に、左右の各鬢７，７のフリー側である後部（図１で右方）を、その各内側に設けられているマジックテープ（登録商標）により、かつら枠１に固定する。そうすれば、図１に示したような日本髪かつらが完成する。
なお、髷４や髱３をかつら枠１から取り外すときには、上述した場合と逆の手順で作業を行えば、それらを簡単に取り外すことができる。
【００１７】
このように、この実施例による日本髪かつらは、髱３と髷４がかつら枠に対して共に着脱可能であるので、その髱３や髷４の型崩れを直したいときには、かつらを構成している全ての髪を一度ばらすようなことをせずに、髱３や髷４を単体で個別にかつら枠１から取り外して、それらの型崩れを簡単に直すことができる。
また、髱３は加工後において柔軟性を有する成形部材（ウレタン樹脂）で髪の櫛目まで一体に成形により形成されているので、それらを熟練した結髪師が結いあげる必要がない分だけそれを安価に製作することができる。さらに、そのウレタン樹脂は軽いので装着感も良好である。
【００１８】
さらに、髱３は図５に示したように、髪部６とその髪部６に対して着脱可能なたぼ金５とからなり、その髪部６は加工後に柔軟性を有する成形部材で髪の櫛目まで一体に成形により形成されていて型崩れしないので、髪部６とたぼ金５を組み付ける前の単体状態で、それぞれのサイズのものを予め用意しておき、発注があった段階で要求されたサイズの髪部６とたぼ金５とを組み合わせて固定することにより髱３を形成すれば、直ぐに要求どおりのサイズの髱３を用意することができる。
【００１９】
したがって、最初から長さの異なる種々の髪部６と、サイズの異なるたぼ金５を全ての組み合わせのものについて髱３を形成するようにした場合には、非常に多くの組み合わせの髱３を予め用意することになるが、この発明による髱３によれば、髪部６とたぼ金５とを共に単体で在庫管理するだけでよいので、その数を少なくすることができる。したがって、その分だけ在庫管理が容易になる。
さらに、髪部６は加工後に柔軟性を有する成形部材で形成されているため、それをたぼ金５に固定する際に髪部６を型崩れさせてしまう虞もないので、取り扱いも容易である。
【産業上の利用可能性】
【００２０】
この発明は、日本髪かつらの髱として、広く適用することができる。
【図面の簡単な説明】
【００２１】
【図１】この発明による髱を使用した日本髪かつらを女性の頭部に被せた状態を示す側面図である。
【図２】同じくその日本髪かつらの着脱可能な髱の髪部を示す斜視図である。
【図３】同じくその日本髪かつらの着脱可能な髷を示す側面図である。
【図４】同じくその日本髪かつらの髱や髷を取り付けるかつら枠を示す側面図である。
【図５】図２の髪部の内側にたぼ金を取り付けた状態を示す斜視図である。
【図６】図１の日本髪かつらで髷を取り外した状態を示す平面図である。
【図７】髷の根の部分の内側を示す下面図である。
【符号の説明】
【００２２】
１：かつら枠    ３：髱    ４：髷    ５：たぼ金    ６：髪部    ７：鬢
【図１】
2006111988.tif 000003
【図２】
2006111988.tif 000004
【図３】
2006111988.tif 000005
【図４】
2006111988.tif 000006
【図５】
2006111988.tif 000007
【図６】
2006111988.tif 000008
【図７】
2006111988.tif 000009